(57)【要約】【課題】引出用レールが取り付けられた引出は、摺動性は良好であるが、閉めるときに勢いがあると家具の奥板に強く当たって奥板を破損したり、勢いあまって引出が開いたりすることがあった。そこで引出用レールが取り付けられた家具には閉めるときの勢いを緩衝する引き込み装置を取り付けることがある。しかしながら引き込み装置を所定の位置に正確に取り付けられることできないばかりか、取り付けに手間がかかっていた。【解決手段】本発明は、引出用レールの二箇所に係合部を形成すると共に、引き込み装置にも二箇所に係合部を形成し、これらの係合部を係合させることにより、引き込み装置を所定の位置に、しかも容易に取り付けることができる。【選択図】図１
2008229281.tif 000002
【特許請求の範囲】
【請求項１】
引出の摺動を円滑に行う引出用レールと引出の引き込み時に引出の勢いを緩衝するダンパーが設置された引込み装置とが、上下位置においてそれぞれの二箇所の係合部で着脱自在に係合されていることを特徴とする引出の摺動機構。
【請求項２】
引出用レールの係合部はガイドレールの平面に形成された第一係合突起と第二係合突起であって、第一係合突起は後方位置で後方が開いた断面ユ字形となっており、第二係合突起は前方位置で前方が開いた断面ユ字形であって、また引込み装置の係合部は引き込み装置本体底面の後方端部が前記第一係合突起と係合可能な第一係合辺であり、前記第二係合突起と一致した引き込み装置本体底面に穿設した開口の前方一辺が前記第二係合突起と係合可能な第二係合辺となっていて、第一係合突起と第一係合辺が、そして第二係合突起と第二係合辺がそれぞれ着脱自在に係合されていることを特徴とする請求項１記載の引出の摺動機構。
【請求項３】
前記第二係合突起の近傍後方には、係止部が形成されており、引込み装置の本体内には該係止部に当接して引込み装置をガイドレールに固定することができるストッパーが設置されていることを特徴とする請求項１、２に記載の引出の摺動機構。
【請求項４】
前記第一係合辺の横幅は第一係合突起の横幅よりも広く、また第二係合辺の横幅は第二係合突起の横幅よりも広いことを特徴とする請求項１乃至３記載の引出の摺動機構。
【発明の詳細な説明】
【技術分野】
【０００１】  本発明は、引出を有する家具に取り付けて引出の摺動を容易にするとともに、引出の閉時に奥板への衝突を緩衝することができる引出の摺動機構に関するものである。
【背景技術】
【０００２】  近時の家具は、引出の出し入れが円滑に行われるように、摺動部には家具用レールが取り付けられている。家具用レールとは、金属製のガイドレール内に金属製のスライドレールが収納されており、ガイドレールとスライドレール間には多数のボールベアリングを配置したリテーナが設置されている。従って、引出は滑りが非常に良好であり、引出を勢いよく押込むと引出が家具の奥板に勢いよく当たって、その反動で引出が少し開いてしまったり、奥板を破損したり、さらには引出の中に整頓して置かれていたものが崩れたりすることがあった。【０００３】  このような問題に鑑み、従来より引出を閉めたときに、引出の勢いを緩めて奥板に強く当たるのを防ぐ引込み装置が提案されていた。この引込み装置とは、本体の内部にダンパーが設置され、該ダンパーで引出の勢いを緩衝させるものである。（特許文献１〜３）引込み装置を引出の側板に取り付けた場合、引込み装置を作動させる作動片は家具の側壁に取り付けるようになっている。逆に作動片を引出の側板に取り付けた場合、引込み装置は家具の側壁に取り付ける。【０００４】  ところで一般に家具の組み立ては、工場で家具の構成部分を製造し、販売店やユーザーで組み立てるというノックダウン方式が採られている。つまり家具の組み立てをノックダウン方式で行なうと、各構成分部をまとめることができるため、一度に大量の家具を搬送できることから搬送費用が割安となり、また在庫する場合にも在庫スペースを大きくとらなくてすむ。【０００５】  一般に家具では、ガイドレールを家具本体の側壁に取り付け、スライドレールを引出の側板に取り付けるが、逆に家具本体にスライドレールを取り付け、引出にガイドレールを取り付けることもある。ノックダウン方式で家具を組み立てる場合、いずれにしても家具本体の側壁に引出用レールの一方を先に取り付け、その後、引出の側板にもう一方の引出用レールを取り付ける。【０００６】  ノックダウン方式で家具本体に引出用レールを取り付ける場合、引出を家具に挿入する前に、先に引出用レールの一方、例えばスライドレールを家具の側壁に取り付けておき、その後、もう一方のガイドレールを引出の側板に取り付ける。このように家具本体に先に引出用レールの一方を取り付けると引出が邪魔とならないため取り付けが容易となり、また引出を挿入後にガイドレールを引出に取り付けると、家具本体と引出の位置合わせが容易となる。従来の引出の摺動機構、即ち引き込み装置と引出用レールが併設されたものでは、引き込み装置の取り付けは引出用レールを取り付け後、引込み装置の取り付け位置を計測してから行っていたものである。【０００７】  一般にノックダウン方式で組み立てた家具に引込み装置を取り付ける場合、ガイドレールと離してガイドレールの上方に取り付けていた。その理由は、組み立て後の家具は、ガイドレールが引出の下方に位置するため、引出の側板が邪魔になってガイドレールの近傍に取り付けることができなかったからである。
【特許文献１】特開２００３−２１０２６７号公報
【特許文献２】特開２００５−２３０４６８号公報
【特許文献２】特開２００５−２０４７９０号公報
【発明の開示】
【発明が解決しようとする課題】
【０００８】  家具本体と引出に引出用レールを取り付けた後、引き込み装置を取り付ける場合、引き込み装置と該引き込み装置を作動させる作動片のそれぞれの位置合わせができなかったり、引き込み装置を引出用レールに対して平行に取り付けることができなかったりすることがあり、引き込み装置の家具への取り付けは、相当の熟練技術を要し、誰でもが取り付けられるものではなかった。また従来の引出の摺動機構は引き込み装置を取り付ける部分には、引き込み装置と引出用レースの取り付けの二度の取り付け作業を行わなければならなかった。さらにまた従来の引出の摺動機構は、引出内の清掃時、家具から引出を引き抜くためには、引出に取り付けてあった引出用レールや引き込み装置を取り外さなければ、引出を引き抜くことができなかった。【０００９】  本発明は、ノックダウン方式での家具の組み立てにおいて、引き込み装置の取り付けが極めて容易にしかも正確にできるとともに、引出用レースの取り付け作業を必要とせず引き込み装置の取り付け作業だけですみ、しかも引出の引き抜きが極めて容易にできるとい引出の摺動機構を提供することにある。
【課題を解決するための手段】
【００１０】  本発明者は、引き込み装置と引出用レールを着脱可能にしておけば、引き込み装置を取り付けるだけで両方を取り付けることができ、また引出用レールと引込み装置が上下位置で一体となれば、引込み装置は引出用レールに対して必ず平行となることに着目して、本発明を完成させた。【００１１】  本発明は、引出の摺動を円滑行う引出用レールと引出の引き込み時に引出の勢いを緩衝するダンパーが設置された引込み装置とが、上下位置においてそれぞれの二箇所の係合部で着脱自在に係合されていることを特徴とする引出の摺動機構である。
【発明の効果】
【００１２】  本発明の引出用摺動機構は、引き込み装置を引出用レールに着脱自在に設置できるため、ノックダウン方式で引出を家具本体に挿入する組み立て時に引き込み装置の取り付け作業を行うだけで引出用レールの取り付け作業を行わなくてもすむという作業の簡略化が可能となるばかりでなく、引出の清掃時には引出の取り外しがワンタッチで行える。また本発明の引出の摺動機構は、引き込み装置を引出用レールの上下位置に密着して設置できるため、引き込み装置を取り付けるときに必ず引出用レールと平行になり、引き込み装置取り付け後に引き込み装置が引出用レールに当たったり、引き込み装置の作動片が作動しなくなったりすることがない。さらにまた本発明の家具の摺動機構は、引き込み装置の取り付けに熟練を要しないため、だれでもが容易に、しかも正確に取り付けることができるという従来にない優れた効果を奏するものである。
【発明を実施するための最良の形態】
【００１３】  本発明では、引出用レールの上部二箇所に係合部が形成され、引き込み装置の下部二箇所に係合部が形成されており、これらの係合部を係合することにより引出用レールと引き込み装置を上下位置に設置するものである。本発明において引出用レールのガイドレールに形成する二箇所の係合部のうちの第一係合突起は、引出用レールを家具に取り付けたときに、引出の後方、即ち引出の奥方となる端部に近いところに形成し、また二箇所の係合部のうちの第二係合突起は引出用レールを家具に取り付けたときに、引出の前方、即ち引出の入口方となる端部に近いところに形成する。第一係合突起と第二係合突起とも、断面がユ字形となっていて、ユ字形の開口が前方（入口方）に開いている。
以後、ことわりのないかぎり前方とは引出の入口側をいい、後方とは引出の奥方をいう。【００１４】  引込み装置に形成する二箇所の係合部のうちの第一係合辺は、本体底面の後方となる端部であり、その横幅は第一係合突起の横幅よりも広くなっている。引込み装置に形成する二箇所の係合部のうちの第二係合辺は、本体の底面前方に穿設した矩形穴の一辺であり、その一辺とは矩形穴の前方の辺である。第二係合辺の横幅も第二係合突起の横幅よりも広くなっている。このように係合辺の横幅を係合突起の横幅よりも広くしておくと、ガイドレールの横幅が変わっても、それに追従して引き込み装置を横方に移動させることができる。【００１５】  引き込み装置をガイドレールに固定するために、ガイドレールには係止部が形成され、引き込み装置にはストッパーが設置されている。該係止部は引出装置をガイドレールに取り付けたときに、矩形穴から上方に突出した断面ユ字形であり、ユ字形の開いた部分が前方を向いている。ストッパーは係止部と同位置となるところの引き込み装置に設置されている。ストッパーは、弾性を有するものであり、下方にバネ付勢されていて、引込み装置のストッパーとガイドレールの係止部を係合させたときにストッパーが下がってガイドレールの係止部に弾性で当接するようになっている。該係止部には把持部が形成されており、把持部を上方に持ち上げると、ストッパーがガイドレールの係止部から外れるようになっている。実施例に示すガイドレールの係止部は、断面がユ字形であるが、ストッパーで引出装置を固定できるものであれば如何なる形状でもよい。【００１６】  ここで本発明の引出の摺動機構について説明する。図１は本発明引出の摺動機構の斜視図、図２は同正面図、図３は同正面断面図、図４は同平面図、図５は図２のＡ−Ａ線拡大断面図である。【００１７】  先ず本発明に使用する引き込み装置について説明する。引き込み装置１は、本体１０、ランナーガイド２０、ランナー３０、引っ張りバネ４０、ダンパー５０、ストッパー６０から構成されている。【００１８】  本体１０は、断面Ｌ字形であり、直立した壁面１１には複数箇所にネジ穴１２・・・が穿設されている。本体１０の中央よりも前方には下部を内方に屈曲させた保持片１３、１３が形成されている。本体１０の後方他端が第一係合辺１４である。また本体１０の底面で前方に近いところには矩形の開口１５が穿設されている。開口１５の前方にある辺が第二係合辺１６である。【００１９】  ランナーガイド２０は、内部が空洞となった長い箱形であり、横方両側壁面にはガイド溝２１が形成されている。ガイド溝２１は長手方向に本体１０と平行となっており、後方が斜め上方に段状に屈曲している。ランナーガイド２０は本体１０の後方上部に固定されている。【００２０】  ランナー３０は、二本のガイドピン３１、３２が横方両側に突出して形成されている。この二本のガイドピン３１、３２は前後方向に離間して形成されており、後方が第一ガイドピン３１、前方が第二ガイドピン３２である。ガイドピン３１、３２は前述ランナーガイド２０のガイド溝２１内を走行するものである。またランナー３０の下部には第一係止片３３と第二係止片３４が下方に突出して形成されてい���。ランナー３０の上方前端部はバネ係合部３５となっており、第二ガイドピンの近傍にロッド係合部３６が形成されている。【００２１】  引っ張りバネ４０は、一端が前述バネ係合部３５に係合され、他端が前方にある後述ストッパー６０の上部に係合されている。従って、引っ張りバネ４０は、常時ランナー３０を前方に引っ張っている状態となっている。【００２２】  ダンパー５０は、シリンダー５１内にピストン５２が摺動自在に設置されており、該ピストン後方にはロッド５３が固定されている。シリンダー５１は前述本体１０の保持片１３、１３の上に載置されており、シリンダーの前端は後述ストッパー６０に当接されている。シリンダー５１の後部は保持具５４で本体１０に固定されている。ロッド５３の後方先端は前述ランナー３０のロッド係合部３６に回動自在に係合されている。ダンパー５０は、シリンダー内のピストンが前方に移動するときに、空気を徐々に流出させることにより後方に勢いよく移動するランナー３０の移動を緩衝させるものである。【００２３】  ストッパー６０は、上部が取り付け部６１となっており、下部が固定部６２となっている。固定部６２は弾性を有する材料で作られており、常時、下方にバネ付勢されている。固定部６２は前方に斜め上方に向いた把持部となっていて、その下方が垂直となった当接部６３となっている。取り付け部６１はビスで本体１０の壁面１１に固定されている。【００２４】  上記構成からなる引き込み装置でのランナーの移動について説明する。ランナー３０は引張バネ４０に引っ張られており、図２の実線で示すようにガイド溝２１の前方最奥に位置している。この引張バネのバネ力に抗してランナー３０を後方（図２の左方）に移動させると、ランナー３０の第一ガイドピン３１と第二ガイドピン３２はガイド溝２１内を移動する。すると第一ガイドピン３１は図２の点線で示すように、上方に屈曲したガイド溝２１の上端に位置し、第一ガイドピン３１と離間した第二ガイドピン３２はガイド溝２１の水平なところに位置している。この状態では引張バネ４０は長く伸ばされているためランナー３０を引き戻す大きな力がかかっているが、ランナー３０にかけた力を外しても第一ガイドピン３１がガイド溝の上端に引っ掛かっているため、ランナー３０はロックされて、この位置に留まる。この状態はランナー３０が傾斜しているため、図２の点線で示すように第一係止片３３はランナーガイド２０内に没しており、第二係止片３４がランナーガイド２０から下方に突出している。【００２５】  次に本発明に使用する引出用レールについて説明する。引出用レール２はガイドレール７０、スライドレール８０、およびリテーナ９０から構成されている。【００２６】  ガイドレール７０は、金属製で断面Ｃ字形をしており、後方上部には係合部である第一係合突起７１が、そして前方上部には係合部である第二係合突起７２が形成されている。これらの係合突起７１、７２は、図３に示すように断面がユ字形であり、ユ字の開いた部分が前方を向いている。第二係合突起７２の形成位置は、引き込み装置１の本体１０の第一係合辺１４を第一係合突起７１の開いた部分に挿入したときに、本体１０の第二係合辺１６が第二係合突起７２の開���た部分に挿入される位置である。またガイドレール７０の上部で第二係合突起７２の近傍には、係止部７３が形成されている。係止部７３の形状は、やはり断面ユ字形であり、ユ字の開いた部分は後方を向いている。該係止部の形成位置は、係止部のユ字形の上端部が引き込み装置１のストッパー１０の当接部６４と一致するところである。【００２７】  スライドレール８０は、金属製で断面コ字形であり、図示しないネジ穴にネジを通して家具の側壁に取り付ける。スライドレール８０の側部には作動片８１が取り付けられている。作動片８１は、図５に示すように断面がクランク状であって、上部がガイドレール７０の上部中方に屈曲しており、さらにガイドレールの上部略中央で上方に立ち上がって作動部８２となっている。作動部８２の幅は、前述ランナー３０の第一係止片３３と第二係止片３４の内側幅よりも僅かに狭い幅となっている。作動片８１の取り付け位置は、引出を完全に閉めた状態、即ちランナー３０がガイド溝２１の最前方にある状態のときに、第一係合辺３３と第二係合片３４間に作動部８２が挟まれる位置である。【００２８】  リテーナ９０は、断面略コ字形であり、上下部に図示しないベアリングが配置されている。リテーナ９０はガイドレール７０とスライドレール８０間に置かれ、ガイドレールとスライドレール間の摺動を良好にするものである。【００２９】  ここで本発明の引出の摺動機構における引出用レールと引き込み装置をノックダウン方式で組み立てる家具への取り付けについて説明する。家具メーカーでは家具本体の構成部分である側板、天板、底板、奥板、引出等を作り、それぞれ分解した状態で販売店に搬送する。販売店では、分解された構成部分を組み立てて家具に仕上げる。【００３０】  ノックダウン方式の組み立てでは、組み立てられた家具本体に引出を挿入する前に引出用レースのスライドレールを家具本体の側壁に取り付ける。このとき引出が家具本体に挿入されていないため、スライドレールの取り付けは容易に行える。そして引出を家具本体に挿入し、引出を最大限に開けた位置で止め、その位置で家具の側壁に取り付けた引出用レールからガイドレールを引っ張り出し、該ガイドレールに引き込み装置を固定する。このとき引き込み装置１の第一係合辺１４とガイドレールの第一係合突起７１、そして引き込み装置の第二係合辺１６とガイドレールの第二係合突起７２を係合させる。すると弾性のあるストッパー６０が下方に落ちて、当接部６３がガイドレールの係止部７３と係合し、ガイドレール７０が引き込み装置１に固定される。その後、引き込み装置のネジ穴１２・・・にネジを挿入して引き込み装置を引出の側板に取り付ける。つまり本発明の引出の摺動機構は、引き込み装置だけを引出の側板に取り付けるだけでガイドレールの取り付けは必要ない、という一度の取り付け作業ですむものである。【００３１】  引出内の清掃で引出を引き抜く場合は、引出を開けた状態にしてからストッパー６０の固定部６２を持ち上げて、当接部６３をガイドレールの係止部７３から外し、引き込み装置１を前方に移動させると、引き込み装置はガイドレールから簡単に外すことができる。そして引出の内部を清掃したならば、引出を持って引き込み装置をガイドレール上に載置し、それぞれの係合部を係合して引き込み装置をガイドレールに固定する。【００３２】  次に引出用レールと引き込み装置を取り付けた家具での開け閉めの状態について説明する。【００３３】  引出を閉めた状態は、ランナー３０がランナーガイド２０の最前方にあり、スライドレール８０に取り付けた作動片８１の作動部８２が第一係止片３３と第二係止片３４間に位置している。そして引出を開けると、引出に取り付けられたガイドレール７０が前方に移動するため、ランナー３０の第一ガイドピン３１と第二ガイドピン３２はガイド溝２１内を後方に走行する。そして第一ガイドピン３１がガイド溝２１の最上端に位置し、第二ガイドピン３２がガイド溝２１の水平部に位置して移動がロックされる。このとき第一係合片３３はランナーガイド２０内に没し、第二係合片３４だけがランナーガイドから突出している。その後、引出を閉めると、作動部８２が第二係合片３４に当たってロックが解かれ、ランナー３０を前方に移動させるとともに、作動部８２は第一係合片３３と第二係合片３４間に挟まれる。するとランナー３０は引っ張りバネ４０に引っ張られて前方に移動するが、引出を勢いよく閉めた場合、ダンパー５０がこの勢いを緩衝させて、引出をゆっくりと閉めるようになる。
【産業上の利用可能性】
【００３４】  本発明の実施例では、スライドレールを家具本体に取り付けたもので説明したが、本発明はガイドレールを家具本体に取り付けてもよい。このとき引き込み装置の前後方向は実施例とは逆となる。また本発明の実施例では引き込み装置をガイドレールの上に設置したもので示したが、引き込み装置をガイドレールの下に設置することもできる。
【図面の簡単な説明】
【００３５】
【図１】本発明引出の摺動機構の斜視図
【図２】同正面図
【図３】同正面断面図
【図４】同平面図
【図５】図２のＡ−Ａ線拡大断面図
【符号の説明】
【００３６】  １  引き込み装置
２  引出用レール
１０  引き込み装置の本体
１４  第一係合辺
１６  第二係合辺
２０  ランナーガイド
３０  ランナー
４０  引っ張りバネ
５０  ダンパー
６０  ストッパー
７０  ガイドレール
７１  第一係合突起
７２  第二係合突起
７３  係止部
【図１】
2008229281.tif 000003
【図２】
2008229281.tif 000004
【図３】
2008229281.tif 000005
【図４】
2008229281.tif 000006
【図５】
2008229281.tif 000007